(57)【要約】端子金具２、押ねじ３、押え金具４、端子板１０などの充電部を上部絶縁ケース５及び下部の絶縁ケース６により覆うとともに、接続電線を挿入する上部絶縁ケース５の開口８や下部絶縁ケース６の開口１１，１２は、電線を配線しない状態では、絶縁ケース５，６同士の重なりや蓋体１４で閉塞するようにする。これにより、配線前後及び配線作業中を問わず余分な充電部の露出がなく、充電部に対する接触保護が確実に行われる。
2004057703.tif 000002
【特許請求の範囲】
【請求項１】
ロ字状の端子金具と、
この端子金具の上辺にねじ込まれた押ねじと、
この押ねじの先端と前記端子金具の下辺との間に挿入された押え金と、
前記押ねじと対面するねじ締穴を上面壁に有する下面が開放した中空角筒体からなり、前記端子金具、押ねじ及び押え金の全体を覆う上部絶縁ケースと、
上下面が開放した中空角筒体からなり、前記上部絶縁ケースの外側にスライド可能に組み合された下部絶縁ケースとを備え、
前記上部絶縁ケースは、前面壁下部に電気機器の端子板の上面に接続される電線の接続端を挿通させる開口が切り欠かれるとともに、背面壁下部に前記端子板を挿通させる開口が切り欠かれ、
前記下部絶縁ケースは、前面壁に前記端子板の上面及び下面にそれぞれ接続される電線の接続端をそれぞれ挿通させる上下２個の開口があけられ、背面壁に前記端子板を挿通させる開口があけられるとともに、背面壁から一体に延びる弾性のある支持体の先端に前面壁の前記下側開口を内側から塞ぐ蓋体を有し、
前記上部絶縁ケース及び下部絶縁ケースの背面壁の開口を介して前記端子板に装着され、
前記上部絶縁ケース前面壁の開口及び下部絶縁ケース前面壁の上側開口を通して前記押え金と端子板の上面との間に挿入された前記電線の接続端を前記押ねじにより締め付け、
前記上部絶縁ケース前面壁の開口及び下部絶縁ケース前面壁の下側開口を通して前記端子金具の下辺と端子板の下面との間に挿入された前記電線の接続端を前記押ねじにより締め付け、その際、下降させた前記端子金具で前記支持体を押し下げて前記蓋体を移動させ、前記下部絶縁ケース前面壁の下側開口を開くとともに、
前記電線の挿入がない前記上部絶縁ケース及び下部絶縁ケースの開口は、これらのケースの互いの重なり又は前記蓋板により常に塞ぐことを特徴とする電気機器の端子装置。
【請求項２】
Ｕ字状に形成した前記押え金を上開きの向きで前記端子金具に組み合わせ、この押え金の両脚部を前記端子金具の前後端面にスライド可能に当接させるとともに、この両脚部の外側に前記上部絶縁ケースを被せたことを特徴とする請求の範囲第１項記載の電気機器の端子装置。
【発明の詳細な説明】
【技術分野】  この発明は、電磁接触器や配線用遮断器などの電気機器の端子板に電線を接続する端子装置に関し、詳しくは充電部への接触保護を図った端子装置に関する。
【背景技術】  充電部への接触保護を図った端子装置として、特開平５−３４７１１８号公報に記載されたものが知られている。これは、端子板に電線を締め付けるボルトの端部をナットから突出させ、この突出端部を利用して保護カバーを鍔つきねじで取り付けるようにしたものである。
ところが、この端子装置は、配線作業後に保護カバーを取り付けるので、配線作業前及び配線作業中は保護されないという問題がある。また、保護カバーの前面側（電線挿入側）及び下面側が開いているため、前方及び下方からの保護が不十分であるという問題もある。
そこで、この発明の課題は、配線の前後及び配線作業中を問わず充電部が露出しないようにして、接触保護の完全を図ることにある。
【発明の開示】
上記課題を解決するために、請求の範囲第１項の発明は、ロ字状の端子金具と、この端子金具の上辺にねじ込まれた押ねじと、この押ねじの先端と前記端子金具の下辺との間に挿入された押え金と、前記押ねじと対面するねじ締穴を上面壁に有する下面が開放した中空角筒体からなり、前記端子金具、押ねじ及び押え金の全体を覆う上部絶縁ケースと、上下面が開放した中空角筒体からなり、前記上部絶縁ケースの外側にスライド可能に組み合された下部絶縁ケースとを備え、
前記上部絶縁ケースは、前面壁下部に電気機器の端子板の上面に接続される電線の接続端を挿通させる開口が切り欠かれるとともに、背面壁下部に前記端子板を挿通させる開口が切り欠かれ、
前記下部絶縁ケースは、前面壁に前記端子板の上面及び下面にそれぞれ接続される電線の接続端をそれぞれ挿通させる上下２個の開口があけられ、背面壁に前記端子板を挿通させる開口があけられるとともに、背面壁から一体に延びる弾性のある支持体の先端に前面壁の前記下側開口を内側から閉じる蓋体を有し、
前記上部絶縁ケース及び下部絶縁ケースの背面壁の開口を介して前記端子板に装着され、前記上部絶縁ケース前面壁の開口及び下部絶縁ケース前面壁の上側開口を介して前記押え金と端子板の上面との間に挿入された前記電線の接続端を前記押ねじにより締め付け、前記上部絶縁ケース前面壁の開口及び下部絶縁ケース前面壁の下側開口を介して前記端子金具の下辺と端子板の下面との間に挿入された前記電線の接続端を前記押ねじにより締め付け、その際、下降させた前記端子金具で前記支持体を押し下げて前記蓋体を移動させ、前記下部絶縁ケース前面壁の下側開口を開くとともに、前記電線の挿入がない前記上部絶縁ケース及び下部絶縁ケースの開口は、これらのケースの互いの重なり又は前記蓋板で常に塞ぐものとする。
この請求の範囲第１項の発明によれば、端子板や電線の接続端部、端子金具などの充電部は上部及び下部の絶縁ケースにより完全に覆われるとともに、配線は絶縁ケースを装着したままで行なえるため、充電部に接触する危険が全くない。
請求の範囲第２項の発明は、請求の範囲第１項の発明において、Ｕ字状に形成した前記押え金を上開きの向きで前記端子金具に組み合わせ、この押え金の両脚部を前記端子金具の前後端面にスライド可能に当接させるとともに、この両脚部の外側に前記上部絶縁ケースを被せるものとする。これにより、上部絶縁ケース内で押え金を介して端子金具の上下動を円滑に案内することができるとともに、上開きにした押え金は押ねじの締め付け操作を妨げることがない。
【図面の簡単な説明】  図１は、この発明の実施の形態を示すもので、（Ａ）は無配線状態の端子金具部分の正面図、（Ｂ）は端子装置の正面図、（Ｃ）は端子装置の縦断面図である。
図２は、この発明の実施の形態を示すもので、（Ａ）は端子板の下側のみに配線した状態の端子金具部分の正面図、（Ｂ）は端子装置の正面図、（Ｃ）は端子装置の縦断面図である。
図３は、この発明の実施の形態を示すもので、（Ａ）は端子板の上側のみに配線した状態の端子金具部分の正面図、（Ｂ）は端子装置の正面図、（Ｃ）は端子装置の縦断面図である。
図４は、この発明の実施の形態を示すもので、（Ａ）は端子板の上下両側に配線した状態の端子金具部分の正面図、（Ｂ）は端子装置の正面図、（Ｃ）は端子装置の縦断面図である。
図５は、図１〜図４の各状態の端子装置の外観を示す斜視図である。
【符号の説明】
１    端子装置
２    端子金具
２ａ  リブ
３    押ねじ
４    押え金具
５    上部絶縁ケース
６    下部絶縁ケース
７    ねじ締穴
８    開口
９    開口
１０    端子板
１１    開口
１２    開口
１３    開口
１４    蓋体
１５    弾性支持体
１６    電線
１６ａ  接続端
【発明を実施するための最良の形態】  以下、図１〜図５に基づいて、この発明の実施の形態を説明する。ここで、図１〜図４はそれぞれ無配線状態、下側のみ配線状態、上側のみ配線状態及び上下配線状態における端子装置を示し、それらの（Ａ）は端子金具部分の正面図、（Ｂ）は端子装置の正面図、（Ｃ）はその縦断面図であり、図５は左から順に端子装置の前記各状態の外観を示す斜視図（ただし、電線は省いてある）である。
まず、図１及び図５において、端子装置１は、ロ字状の端子金具２と、その上辺にねじ込まれた六角穴付きの押ねじ３と、押ねじ３の先端と端子金具２の下辺との間に挿入されたＵ字状の押え金４と、端子金具２、押ねじ３及び押え金４の全体を覆う上部絶縁ケース５と、その外側にスライド可能に組み合された下部絶縁ケース６とを備えている。押え金４は上開きの向きで端子金具２に組み合わされ、図１（Ａ）に示すように、両脚部上端の左右に突出する腕部４ａを介して端子金具２の前後端面とスライド可能に当接し、この両脚部の外側に上部絶縁ケース５が被さっている。端子金具２は押え金４に案内されて上下に移動し、押え金４は上部絶縁ケース５により両脚部を介して位置決め保持されている。端子金具２の下辺の内側面には２条のリブ２ａが形成され、押え金４の下面には同じく２条のリブ４ｂが形成されている。
上部絶縁ケース５は、押ねじ３と対面する丸いねじ締穴７を上面壁に有する樹脂の中空角筒体で下面が開放している。上部絶縁ケース５の前面壁（図１（Ｃ）の左側の壁）の下部には、逆Ｕ字状に開口８が切り欠かれ、また背面壁（同じく右側の壁）には同様の開口９が同じ高さ位置まで切り欠かれている。なお、上部絶縁ケース５の前面壁は背面壁よりも下方に長く、その分、開口８は開口９よりも深くなっている。後述するように、開口８は図示しない電気機器、例えば電磁接触器の端子板１０の上面に接続される電線の接続端を挿通させ、開口９は図示の通り端子板１０を挿通させる役目をする。
一方、下部絶縁ケース６も樹脂の中空角筒体で、この場合は上下面が開放している。しかして、下部絶縁ケース６の前面壁には上下２個の開口１１及び１２があけられ、背面壁には開口１３があけられている。ここで、前面壁の開口１１は上端面からＵ字状に切り欠かれており、開口１２は正方形にあけられている。また、背面壁の開口１３は、前面壁の開口１１と開口１２の間に残された壁部６ａと相対する高さ位置に横長の長方形にあけられている。後述するように、前面壁の開口１１は端子板１０の上面に接続される電線の接続端を挿通させ、開口１２は同じく下面に接続される電線の接続端を挿通させる。また、背面壁の開口１３は、図示の通り端子板１０を挿通させる。
下部絶縁ケース６は、電線の挿入がない図１の状態で開口１２を内側から塞ぐ蓋体１４を有している。蓋体１４は、一体成形により背面壁から延びる蓋体１４と同幅の帯状の支持体１５の先端に一体に設けられ、後述するように支持体１５は端子金具２に押されると容易に変形する弾性を有している。
端子装置１を図１の状態に組み立てるには、押ねじ３を装着した端子金具２に押え金４を組み合わせた後、これら全体を上部絶縁ケース５に挿入し、次いでこの上部絶縁ケース５を下部絶縁ケース６に挿入する。この端子装置１の組立体は、上部絶縁ケース５の開口９及び下部絶縁ケース６の開口１３を通して、図１に示す通り端子板１０に装着される。図１は無配線状態を示しており、この状態で下部絶縁ケース６の開口１１は上部絶縁ケース５との重なりで塞がれ、上部絶縁ケース５の開口８及び下部絶縁ケース６の開口１２は蓋板１４で塞がれている。また、下部絶縁ケース６の下面は蓋体１４及び支持体１５で覆われている。更に、端子板１０の端面は、下部絶縁ケース６の壁部６ａで覆われている。一方、ねじ締穴７は指が入らない程度に小さい。これにより、充電部、つまり端子金具２、押ねじ３、押え金４、端子板１０は上部及び下部絶縁ケース５，６に完全に覆われ、不用意な接触による感電の恐れがない。
図２の（Ａ）〜（Ｃ）及び図５の左から２番目の図は、端子板１０の下側のみに配線した端子装置１を示している。図示の通り配線するには、ねじ締穴７を介して押ねじ３を緩め、端子金具２を下降させる。これにより、蓋体１４の支持体１５が端子金具２に押し下げられ、開口８，１２が開く。そこで、電線１６の接続端１６ａを端子板１０の下面と端子金具２の下辺との間に挿入し、押ねじ３を回してリブ２ａを介して接続端１６ａ締め付ける。この状態において、下部絶縁ケース６の開口１１は、無配線状態と同様に上部絶縁ケース５との重なりで塞がれる。なお、支持体１５は端子金具２が上昇（後退）すると、自身の弾性により蓋体１４とともに図１の状態に復帰する。
図３の（Ａ）〜（Ｃ）及び図５の左から３番目の図は、端子板１０の上側のみに配線した端子装置１を示している。図示の通り配線するには、押ねじ３を緩めて押え金４を上部絶縁ケース５と一緒に持ち上げる。これにより、下部絶縁ケース６の開口１１が上部絶縁ケース５の開口８と重なって開く。そこで、開口１１，８を通して電線１６の接続端１６ａを端子板１０の上面と押え金４との間に挿入し、押ねじ３を回してリブ４ｂを介して接続端１６ａを締め付ける。この状態において、下部絶縁ケース６の開口１２は、無配線状態と同様に蓋体１４で塞がれる。
図４の（Ａ）〜（Ｃ）及び図５の右から１番目の図は、端子板１３の上下両側に配線した端子装置１を示している。図示の配線は、押ねじ３を図２あるいは図３の状態よりも更に緩め、上部絶縁ケース５を持ち上げるとともに、端子金具２を下降させて、下部絶縁ケース６の開口１１及び１２をともに開くことにより可能である。
【産業上の利用可能性】  以上の通り、この発明によれば、充電部を覆う上部絶縁ケース及び下部絶縁ケースは、配線がされない状態では開口が常に塞がれ、配線がされる場合のみ必要最小限の開口が開かれるので、配線の前後及び配線作業中を問わず感電事故が確実に防止される。
【図１】
2004057703.tif 000003
【図２】
2004057703.tif 000004
【図３】
2004057703.tif 000005
【図４】
2004057703.tif 000006
【図５】
2004057703.tif 000007
【国際調査報告】
2004057703.tif 000008
2004057703.tif 000009
2004057703.tif 000010
2004057703.tif 000011